(57)【特許請求の範囲】
【請求項１】
長方形状の表示部と、該表示部の外周を囲む外枠と、該外枠のうち表示部の短辺と接していて短辺中央を除く範囲のいずれか１箇所に配置された照度センサとを有しマトリックス状に配置された複数の表示装置に対して、それぞれの該表示部を１つずつ順に点灯させ、それぞれの該照度センサにより検出される照度値に応じて、前記複数の表示装置のうち予め定められた基本位置に配置された表示装置を特定する基本位置検出部と、
前記基本位置検出部が特定した表示装置を点灯させ、前記複数の表示装置が有する前記照度センサより出力される照度値に基づいて、前記複数の表示装置が前記マトリックスのいずれの位置に配置されているかを検出する相対位置検出部と
を備えることを特徴とするディスプレイ制御装置。
【請求項２】
前記基本位置検出部は、前記複数の表示装置のうちいずれか１つを順に点灯させるごとに、前記複数の表示装置が有する前記照度センサから出力される照度値のうち２番目に大きい照度値を出力する前記照度センサを検出し、２番目に大きい照度値を３回出力した前記照度センサを有する表示装置を前記基本位置に配置された表示装置であると特定する
ことを特徴とする請求項１に記載のディスプレイ制御装置。
【請求項３】
前記基本位置検出部は、２番目に大きい照度値を３回出力した前記照度センサを有する表示装置を特定すると、前記複数の表示装置を１つずつ順に点灯させることを止め、前記相対位置検出部が前記複数の表示装置の配置された位置を検出する
ことを特徴とする請求項２に記載のディスプレイ制御装置。
【請求項４】
前記基本位置検出部が特定する前記マトリックスにおける位置は、前記複数の表示装置が配置された前記マトリックスのサイズと、前記複数の表示装置が有する前記照度センサの配置される位置とにより定まる
ことを特徴とする請求項１から請求項３のいずれか１項に記載のディスプレイ制御装置。
【請求項５】
前記基本位置検出部が特定した前記表示装置を点灯させた際に前記照度センサより出力される照度値の大きさの順序と、前記マトリックスにおけるそれぞれの位置とが対応付けられている照度分布情報を予め記憶している照度分布記憶部
を備え、
前記相対位置検出部は、前記複数の表示装置が有する前記照度センサより出力される照度値と、前記照度分布記憶部に記憶されている前記照度分布情報とを対比することにより前記複数の表示装置の配置された位置を特定する
ことを特徴とする請求項１から請求項４のいずれか１項に記載のディスプレイ制御装置。
【請求項６】
長方形状の表示部と、該表示部の外周を囲む外枠と、該外枠のうち表示部の短辺と接していて短辺中央を除く範囲のいずれか１箇所に配置された照度センサとを有しマトリックス状に配置された複数の表示装置に対して、それぞれの該表示部を１つずつ順に点灯させ、それぞれの該照度センサにより検出される照度値に応じて、前記複数の表示装置のうち予め定められた基本位置に配置された表示装置を特定する過程と、
前記基本位置検出部が特定した表示装置を点灯させ、前記複数の表示装置が有する前記照度センサより出力される照度値に基づいて、前記複数の表示装置が前記マトリックス状のいずれの位置に配置されているかを検出する過程と
を備えることを特徴とするディスプレイ制御方法。
【発明の詳細な説明】
【技術分野】
【０００１】
本発明は、ディスプレイ制御装置、及びディスプレイ制御方法に関する。
【背景技術】
【０００２】
近年、複数のＣＲＴ（Cathode Ray Tube）や、バックライトを備えたＬＣＤ（Liquid Crystal Display）などの自発光するディスプレイ(表示装置)をマトリックス状に配置し、複数のディスプレイを連携して動作させるマルチディスプレイが普及している。このマルチディスプレイを利用して、大画面の画像表示を行うことや、複数の異なる画像データを一度に表示することなどが広く行われている。
また、マルチディスプレイは、医療分野にも用いられており、均一な画像を表示するためにディスプレイ間の輝度の差を補正する技術が知られている（特許文献１）。【０００３】
ところで、マルチディスプレイでは、配置位置に応じた画像を各ディスプレイに表示させるために、マルチディスプレイにおいて各ディスプレイが配置された位置を識別する位置情報の設定（識別情報設定）が必要となる。この位置情報の設定は、マルチディスプレイの利用者や管理者の操作によりＯＳＤ（On Screen Display）を通じてディスプレイごと個別に行われている。この位置情報の設定は、マルチディスプレイを構成するディスプレイの数が多い場合、多くの時間を費やす作業となっており、この設定を容易にすることが望まれている。【０００４】
また、マルチディスプレイを構成する際には、同じタイプのディスプレイを用いることが多く、この場合、ディスプレイを操作するリモコンは共通である。そのため、リモコンのＩＤ（IDentifier；識別子）設定を行う前には、リモコンによりディプレイを操作すると全てのディスプレイが応答してしまうので、ディスプレイそれぞれの設定を行うことはできない。一方、リモコンのＩＤ設定を行ってしまうと、リモコンのＩＤに対応付けられたディスプレイしか操作できなくなるので、リモコンを用いたとしても、位置情報の設定を効率的に行うことができないという問題がある。【０００５】
そのような問題に対して、マルチディスプレイを構成する全てのディスプレイに対して、隣接するディスプレイと接続することで、ディスプレイそれぞれの配置位置を検出して位置情報を設定する技術がある（特許文献２）。
【先行技術文献】
【特許文献】
【０００６】
【特許文献１】特開２００４−２４２１４３号公報
【特許文献２】特開平０５−２４９９３２号
【発明の概要】
【発明が解決しようとする課題】
【０００７】
しかしながら、上述の特許文献２に記載されているマルチディスプレイでは、上下左右方向それぞれに隣接するディスプレイを接続する必要あるので、その接続に手間が掛かり、結果的に位置情報の設定に時間を要してしまうという問題がある。【０００８】
本発明は、上記問題に鑑みてなされたもので、マルチディスプレイにおける各ディスプレイがマルチディスプレイにおけるいずれの位置の配置されているのかを示す位置情報の設定において、位置情報の設定が容易に行えるディスプレイ制御装置及び制御方法を提供する。
【課題を解決するための手段】
【０００９】
上記問題を解決するため、本発明のディスプレイ制御装置は、長方形状の表示部と、該表示部の外周を囲む外枠と、該外枠のうち表示部の短辺と接していて短辺中央を除く範囲のいずれか１箇所に配置された照度センサとを有しマトリックス状に配置された複数の表示装置に対して、それぞれの該表示部を１つずつ順に点灯させ、それぞれの該照度センサにより検出される照度値に応じて、前記複数の表示装置のうち予め定められた基本位置に配置された表示装置を特定する基本位置検出部と、前記基本位置検出部が特定した表示装置を点灯させ、前記複数の表示装置が有する前記照度センサより出力される照度値に基づいて、前記複数の表示装置が前記マトリックスのいずれの位置に配置されているかを検出する相対位置検出部とを備えることを特徴とする。
また、本発明のディスプレイ制御方法は、長方形状の表示部と、該表示部の外周を囲む外枠と、該外枠のうち表示部の短辺と接していて短辺中央を除く範囲のいずれか１箇所に配置された照度センサとを有しマトリックス状に配置された複数の表示装置に対して、それぞれの該表示部を１つずつ順に点灯させ、それぞれの該照度センサにより検出される照度値に応じて、前記複数の表示装置のうち予め定められた基本位置に配置された表示装置を特定する過程と、前記基本位置検出部が特定した表示装置を点灯させ、前記複数の表示装置が有する前記照度センサより出力される照度値に基づいて、前記複数の表示装置が前記マトリックス状のいずれの位置に配置されているかを検出する過程とを備えることを特徴とする。
【発明の効果】
【００１０】
本発明によれば、複数の表示装置を用いてマルチディスプレイを構成する際に、配置された各表示装置が有する表示部の周縁の短辺側における中点以外のいずれか１箇所に配置された照度センサを利用することで、表示装置を１つずつ順に点灯させて照度センサより出力される照度値に基づいて各表示装置の配置された位置を検出することができ、容易に位置情報の設定を行うことができる。
【図面の簡単な説明】
【００１１】
【図１】本発明の一実施形態としてしてのマルチディスプレイシステム１００の構成を示す概略ブロック図である。
【図２】本実施形態における位置情報の一例を示す図である。
【図３】本実施形態において、基本位置検出部１２がディスプレイ２ａを点灯させた際に、検出される照度値の順位を示した図である。
【図４】本実施形態においてディスプレイ２ａ〜２ｉを順に点灯させた場合、それぞれの照度センサ２１ａ〜２１ｉにおいて２番目に高い照度値を検出する回数を示した図である。
【図５】本実施形態における照度分布情報の一例を示す図である。
【図６】本実施形態において、基本位置検出部１２が、ＩＤ「１」〜「９」のディスプレイを点灯させた場合、１〜３番目の照度値を検出するディスプレイのＩＤを示した図である。
【図７】照度センサがベゼルの右側周縁の下部に配置されると共に、３行４列のサイズのマルチディスプレイの場合について示した模式図である。
【図８】照度センサがベゼルの右側周縁の下部に配置されると共に、４行４列のサイズのマルチディスプレイの場合について示した模式図である。
【図９】照度センサがベゼルの右側周縁の上部に配置されると共に、４行４列のサイズのマルチディスプレイの場合について示した模式図である。
【図１０】照度センサがベゼルの左側周縁の下部に配置されると共に、４行４列のサイズのマルチディスプレイの場合について示した模式図である。
【図１１】照度センサがベゼルの左側周縁の上部に配置されると共に、４行４列のサイズのマルチディスプレイの場合について示した模式図である。
【図１２】４行４列のサイズのマルチディスプレイにおいて、照度センサがベゼルの上側周縁の右部に配置された場合における各ディスプレイが２番目に大きい照度値を出力する回数の分布を示す図である。
【図１３】４行４列のサイズのマルチディスプレイにおいて、照度センサがベゼルの右側周縁の中央部に配置された場合における各ディスプレイが２番目に大きい照度値を出力する回数の分布を示す図である。
【図１４】照度センサがベゼルの短辺右側周縁の下部に配置され、ｍ行ｎ列（ｍ×ｎ）のサイズのマルチディスプレイの場合について示した模式図である。
【発明を実施するための形態】
【００１２】
以下、図面を参照して本発明を実施するための形態を説明する。図１は、本発明の一実施形態としてしてのマルチディスプレイシステム１００の構成を示す概略ブロック図である。この実施形態においては、９個の同じディスプレイ（表示装置）を３行３列（３×３）のマトリックス状に配置することにより１つのマルチディスプレイ（表示領域）２０を構成する場合について説明する。
【００１３】
図示するように、マルチディスプレイシステム１００は、ディスプレイ制御装置１と、マルチディスプレイ２０を構成する９個のディスプレイ２ａ〜２ｉと、ディスプレイ制御装置１及びディスプレイ２ａ〜２ｉを接続するシリアルケーブル３ａ〜３ｉとを具備している。
ディスプレイ２ａ〜２ｉそれぞれには、表示部の外周を囲むように周縁部に設けられたベゼル（外枠）の右側周縁の下部、かつ、表示部の表示面と同一の面側であって、各ディスプレイ上の同じ位置に照度センサ２１ａ〜２１ｉが配置されている。照度センサ２１ａ〜２１ｉは、検出した照度に応じた照度値を出力する。また、この実施形態においては、照度センサ２１ａ〜２１ｉは、それぞれ自身が配置されたディスプレイの照度を検出可能な位置に配置される。
【００１４】
ディスプレイ制御装置１は、接続されたディスプレイ２ａ〜２ｉそれぞれのマルチディスプレイ２０における配置された位置を検出する機能を有し、制御部１１と、基本位置検出部１２と、相対位置検出部１３と、位置情報記憶部１４と、照度分布記憶部１５とを備えている。
【００１５】
位置情報記憶部１４は、位置情報が記憶されている。図２は、本実施形態における位置情報の一例を示す図である。図示するように、位置情報は、ディスプレイ制御装置１に接続されたディスプレイ２ａ〜２ｉそれぞれのＩＤと、当該ディスプレイのカウント値と、当該ディスプレイのマルチディスプレイ２０における配置された位置を示す配置情報とが対応付けて記憶される。カウント値は、ディスプレイ２ａ〜２ｉそれぞれに備えられた照度センサ２１ａ〜２１ｉが、全ての照度センサ２１ａ〜２１ｉのうち２番目に大きい照度値を検出した回数である。このカウント値の初期値は、「０」である。配置情報は、マルチディスプレイにおいて、各ディスプレイが配置された位置を示す情報であり、左上を基点（１，１）とした場合の（行番号，列番号）により表される。
図２に示すように、ディスプレイ２ａ〜２ｉに割り当てられたＩＤである「１」〜「９」が記憶され、それぞれのＩＤに対してカウント値及び配置情報が対応付けられて記憶されている。例えば、ＩＤ「６」に対して、カウント値「３」と、配置情報である位置「（２，１）」とが対応付けられて記憶されている。
【００１６】
制御部１１は、ディスプレイ制御装置１に接続されるディスプレイ２ａ〜２ｉそれぞれに対して一意に識別できる識別子（ＩＤ）を順に割り当て、接続されたディスプレイ２ａ〜２ｉそれぞれの識別子を位置情報記憶部１４に記憶させる。若しくは、制御部１１は、接続されたディスプレイにメッセージ、例えば、「ＩＤ＝１を設定して下さい」などを表示させて、利用者の操作によりディスプレイにＩＤを記憶させるようにしてもよい。
また、制御部１１は、ＩＤを位置情報記憶部１４に記憶させる際に、カウント値の初期値を「０」とし、位置を示す情報をなし（ｎｕｌｌ）とする。また、制御部１１は、全てのディスプレイ２ａ〜２ｉが接続された後に、基本位置検出部１２を起動する。
【００１７】
基本位置検出部１２は、ディスプレイ２ａ〜２ｉそれぞれに割り当てられたＩＤ（「１」〜「９」）に基づいていずれか１つを選択してディスプレイ２ａ〜２ｉを１つずつ順に点灯させ、ディスプレイ２ａ〜２ｉを点灯させた際に照度センサ２１ａ〜２１ｉにより検出される照度値を受信する。また、基本位置検出部１２は、位置情報記憶部１４が記憶している位置情報に対して、受信した照度値のうち２番目に大きい照度値を検出した照度センサに対応するＩＤのカウント値を「１」増加させる更新処理を行う。
図３は、本実施形態において、基本位置検出部１２がディスプレイ２ａを点灯させた際に、検出される照度値の順位を示した図である。図示するように、照度センサ２１ａにより検出される照度値が最も大きく、照度センサ２１ｆにより検出される照度値が２番目に大きく、照度センサ２１ｂに検出される照度値が３番目に大きく、照度センサ２１ｅにより検出される照度値が４番目に大きい。すなわち、各照度センサ２１ａ〜２１ｉが検出する照度値は、点灯するディスプレイから照度センサまでの距離が近いほど大きくなる。
【００１８】
また、基本位置検出部１２は、いずれかのＩＤのカウント値が３になるまでディスプレイ２１ａ〜２１ｉのうちいずれか１つを順に点灯させることにより、特定の位置に配置されたディスプレイを検出する。これは、ディスプレイ２ａ〜２ｉを１つずつ順に点灯させると、特定の位置に配置されたディスプレイの照度センサが２番目に大きい照度値を３回検出するという特性を利用して、基本位置検出部１２は、特定の位置である基本位置に配置されたディスプレイを検出する。
また、基本位置検出部１２は、基本位置に配置されたディスプレイを特定すると、当該ディスプレイのＩＤに基本位置を対応付けて位置情報記憶部１４に記憶させると共に、相対位置検出部１３を起動する。この基本位置は、マルチディスプレイにおけるディスプレイが配置される位置のうちの１つであると共に、ディスプレイ２１ａ〜２１ｉに備えられた照度センサ２１ａ〜２１ｉの配置位置に応じて一意に定まる位置である。
【００１９】
図４は、本実施形態においてディスプレイ２ａ〜２ｉを順に点灯させた場合、それぞれの照度センサ２１ａ〜２１ｉにおいて２番目に高い照度値を検出する回数を示した図である。図示するように、３×３のマトリックス状にディスプレイ２ａ〜２ｉが配置され、照度センサ２１ａ〜２１ｉがベゼルの右側周縁の下部に照度センサ２１ａ〜２１ｉが配置された場合、２行１列（位置（２，１））の基本位置に配置されたディスプレイ２ｆの照度センサ２１ｆが２番目に大きい照度値を３回検出する。すなわち、２番目に大きい照度値を３回検出する照度センサを有するディスプレイ２ｆは、位置（２，１）の基本位置に配置されている。
【００２０】
相対位置検出部１３は、基本位置検出部１２が検出した基本位置に配置されたいずれかのディスプレイを点灯させて、照度分布記憶部１５に予め記憶されている照度分布情報に基づいてマルチディスプレイを構成する他のディスプレイそれぞれが配置されている位置を特定する。
【００２１】
照度分布記憶部１５には、照度分布情報が予め記憶されている。この照度分布情報は、予め定められた基本位置に位置するディスプレイを点灯させた際の各照度センサにより検出される照度値の大きさの順序と、マルチディスプレイにおける各ディスプレイの配置情報とが対応付けられた情報である。この照度分布情報は、基本位置から各照度センサまでの距離に応じて定まる情報である。図５は、本実施形態における照度分布情報の一例を示す図である。図示するように、位置（２，１）に配置されたディスプレイを点灯させた場合、各ディスプレイの照度センサにより検出される照度値の大きさの順序と、配置情報である位置（２，１）、（１，１）、（３，１）、…、（３，３）とが対応付けられている。
【００２２】
次に、本実施形態におけるディスプレイ制御装置１の動作を説明する。
ディスプレイ制御装置１において、制御部１１は、ディスプレイ２ａ〜２ｉが、図１に示すように、３×３のマルチディスプレイになるように配置され、シリアルケーブル３ａ〜３ｉを介して接続されると、接続された順にディスプレイ２ａ〜２ｉに対してＩＤ「１」〜「９」を割り当てるコマンドを出力してディスプレイ２ａ〜２ｉに割り当てたＩＤを記憶させると共に、割り当てたＩＤを位置情報記憶部１４に記憶させる。そして、制御部１１は、全てのディスプレイ２ａ〜２ｉの接続された後に、基本位置検出部１２を起動する。
【００２３】
次に、基本位置検出部１２は、制御部１１が割り当てたＩＤ「１」〜「９」によりディスプレイ２ａ〜２ｉを識別することで、ディスプレイ２ａ〜２ｉのうちいずれか１つを順に点灯させるごとに、ディスプレイ２ａ〜２ｉから照度値を受信する。そして、基本位置検出部１２は、次のディスプレイを点灯させるまでに、受信した照度値のうち２番目に照度値の高いディスプレイのＩＤのカウント値を「１」増加させる。
図６は、本実施形態において、基本位置検出部１２が、ＩＤ「１」〜「９」のディスプレイを１つずつ順に点灯させた場合、１〜３番目の照度値を検出するディスプレイのＩＤを示した図である。基本位置検出部１２が、図示する順に各ディスプレイを点灯させると、ＩＤ「７」のディスプレイ２ｇを点灯させたときに、ＩＤ「６」のカウント値が３になる。
【００２４】
基本位置検出部１２は、カウント値が３になったＩＤ「６」のディスプレイ２ｆが基本位置である位置（２，１）に配置されていることを検出し、位置（２，１）を示す情報をＩＤ「６」に対応付けて位置情報記憶部１４に記憶させる。基本位置検出部１２が位置（２，１）をＩＤ「６」に対応付けて記憶させた後の位置情報は、図２に示された状態となる。
そして、基本位置検出部１２は、相対位置検出部１３を起動する。
【００２５】
相対位置検出部１３は、基本位置（２，１）にＩＤ「６」を割り当てられたディスプレイ２ｆが配置されていることと、照度分布記憶部１５に予め記憶されている照度分布情報とに基づいて、以下のように、他のディスプレイ２ａ〜２ｅ、２ｇ〜２ｉの配置されている位置を検出する。
まず、相対位置検出部１３は、基本位置（２，１）に配置されたディスプレイ２ｆを点灯させて、各照度センサ２１ａ〜２１ｉから照度値を受信する。そして、相対位置検出部１３は、受信した照度値の大きい順にＩＤを並べた「６、１、７、５、２、８、４、３、９」と、照度分布記憶部１５に記憶されている照度分布情報「（２，１）、（１，１）、（３，１）、（２，２）、（１，２）、（３，２）、（２，３）、（１，３）、（３，３）」とを順に対応付けて、対比することで、ＩＤ「６」以外のディスプレイ２ａ〜２ｅ、２ｇ〜２ｉの配置された位置を検出する。
【００２６】
これにより、相対位置検出部１３は、ＩＤ「１」が位置（１，１）に配置され、ＩＤ「７」が位置（３，１）に配置され、ＩＤ「５」が（２，２）に配置され、ＩＤ「２」が（１，２）に配置され、ＩＤ「８」が（３，２）に配置され、ＩＤ「４」が（２，３）に配置され、ＩＤ「３」が（１，３）に配置され、ＩＤ「９」が（３，３）に配置されていることを検出する。更に、相対位置検出部１３は、検出したディスプレイ２ａ〜２ｉの位置をディスプレイ２ａ〜２ｉに割り当てられたＩＤに対応付けて位置情報記憶部１４に記憶させる。
【００２７】
上述のように動作することで、ディスプレイ制御装置１は、接続されたディスプレイ２ａ〜２ｉのうち予め定められた基本位置（位置（２，１））に配置されたディスプレイ２ｆを検出し、基本位置に配置されたディスプレイ２ｆを点灯させて得られるディスプレイ２ａ〜２ｉそれぞれの照度値に基づいて、接続されたディスプレイ２ａ〜２ｉそれぞれの配置された位置を検出する。そして、ディスプレイ制御装置１は、検出した各ディスプレイ２ａ〜２ｉの配置された位置に応じた処理、例えば、特定の列のみの輝度を高くするなどをディスプレイ２ａ〜２ｉに割り当てられたＩＤに基づいて行うことができる。
また、基本位置検出部１２は、２番目に大きい照度値を３回検出したディスプレイ２ｆを特定すると、１つずつ順に点灯させる動作を停止することにより、基本位置に配置されたディスプレイ２ｆを特定するまでの時間、及びディスプレイ２ａ〜２ｉそれぞれの配置された値を検出する時間を短縮することができる。
【００２８】
また、ディスプレイ制御装置１は、マルチディスプレイ２０を構成するディスプレイ２ａ〜２ｉの接続がなされた後、利用者や管理者などの操作を伴わずに、ディスプレイ２ａ〜２ｉの配置位置を検出することができる。これにより、利用者や管理者などがディスプレイ２ａ〜２ｉの配置位置に応じて、ディスプレイ２ａ〜２ｉに対して個別に設定を行う必要がなくなり、位置情報の設定が容易になると共に、利便性が向上する。  また、ディスプレイを操作するためのリモコンを用いることなく配置位置の設定が行えるので、リモコンによるディスプレイの誤操作などを防ぐことができる。
【００２９】
また、ディスプレイ制御装置１に接続するディスプレイは、照度センサを有している必要があるが、周囲の明るさ（外光）に応じて輝度を調節するために照度センサを備えるディスプレイが普及しているので、それを用いることができる。すなわち、ディスプレイ制御装置１に接続するディスプレイには、特別な機能を構成するハードウェアなどを追加する必要がなく、マルチディスプレイシステムを構成する際のコストの増加を抑制することができる。
【００３０】
本実施形態では、ベゼルの右側周縁の下部に照度センサが配置されたディスプレイを３行３列に並べたサイズのマルチディスプレイ２０について説明したが、照度センサの配置位置、及びマルチディスプレイのサイズが異なる変形例について説明する。
図７は、照度センサがベゼルの右側周縁の下部に配置されると共に、３行４列のサイズのマルチディスプレイの場合について示した模式図である。それぞれの枠がディスプレイを示し、黒丸（●）が照度センサを示し、各枠に記された数字が、各ディスプレイを１つずつ点灯させた際に２番目に高い照度値を検出する回数を示している。この場合、位置（２，１）が基本位置となり、ディスプレイ制御装置は、上述した処理により、各ディスプレイの配置された位置を検出することができる。
【００３１】
図８は、照度センサがベゼルの右側周縁の下部に配置されると共に、４行４列のサイズのマルチディスプレイの場合について示した模式図である。図８において、図７と同様に、それぞれの枠がディスプレイを示し、黒丸（●）が照度センサを示し、各枠に記された数字が、各ディスプレイを１つずつ点灯させた際に２番目に高い照度値を検出する回数を示している。この場合、位置（２，１）が基本位置となる。
【００３２】
続いて、４行４列のサイズのマルチディスプレイにおいて、照度センサが、ベゼルの右側周縁の上部、ベゼルの左側周縁の下部、及びベゼルの左側周縁の上部に配置された場合それぞれについて、図９、図１０、及び図１１に示す。
図９に示すように、照度センサがベゼルの右側周縁の上部に配置された場合、基本位置は、位置（３，１）になる。また、図１０に示すように照度センサがベゼルの左側周縁の下部に配置された場合、基本位置は、位置（４，２）になる。また、図１１に示すように照度センサがベゼルの左周縁の上部に配置された場合、基本位置は、位置（４，３）になる。
【００３３】
なお、照度センサが、ディスプレイの周縁の長辺側（上側又は下側）、及びディスプレイの周辺の短辺側（右側又は左側）の中央部に配置される場合、以下に示すように、「２番目に大きい照度値が３回検出するディスプレイ」が配置された基本位置を一意に定めることができない。
図１２は、４行４列のサイズのマルチディスプレイにおいて、照度センサがベゼルの上側周縁の右部に配置された場合における各ディスプレイが２番目に大きい照度値を出力する回数の分布を示す図である。図示するように、２番目に大きい照度値を出力するディスプレイがないので、基本位置を予め定めることができない。
なお、ベゼルの長辺側には、ベゼルの短辺側と重なる４隅の領域も含まれる。
【００３４】
また、図１３は、４行４列のサイズのマルチディスプレイにおいて、照度センサがベゼルの右側周縁の中央部に配置された場合における各ディスプレイが２番目に大きい照度値を出力する回数の分布を示す図である。図示するように、２番目に大きい照度値を出力するディスプレイが、位置（２，１）及び（３，１）の２個となり、「２番目に照度値を３回検出する」ことのみにより位置を一意に特定することができない。
すなわち、本発明のマルチディスプレイ装置に接続するディスプレイは、ディスプレイの表示部の短辺に接するベゼルの短辺側の部分であって、中央部を除く範囲のいずれかの１箇所に照度センサが配置されている必要がある。
【００３５】
続いて、サイズがｍ行ｎ列（ｍ×ｎ；ｍ＞ｎ≧２、かつｍ、ｎは自然数）であり、照度センサが、以下に４箇所に配置された場合について説明する。なお、ディスプレイの位置を示すとき、左上の位置を基点として、位置（１，１）とする。
１．ベゼルの短辺右側周縁の下部に配置された場合
２．ベゼルの短辺右側周縁の上部に配置された場合
３．ベゼルの短辺左側周縁の下部に配置された場合
４．ベゼルの短辺左側周縁の上部に配置された場合
【００３６】
［１．照度センサがベゼルの短辺右側周縁の下部にある場合］
図１４は、照度センサがベゼルの短辺右側周縁の下部に配置され、ｍ行ｎ列（ｍ×ｎ）のサイズのマルチディスプレイの場合について示した模式図である。図１４において、図７と同様に、それぞれの枠がディスプレイを示し、黒丸（●）が照度センサを示し、各枠に記された数字が、各ディスプレイを１つずつ点灯させた際に２番目に高い照度値を検出する回数を示している。この場合、位置（２，１）が基本位置となる。
照度センサがベゼルの短辺右側周縁の下部にある場合は、位置（ｉ，ｊ）（１≦ｉ≦ｍ，２≦ｊ≦ｎ）に配置されたディスプレイが点灯すると、位置（ｉ，ｊ−１）に配置されたディスプレイが２番目に大きい照度値を出力する。
また、位置（ｉ，１）（２≦ｉ≦ｍ）に配置されたディスプレイが点灯すると、位置（ｉ−１，１）に配置されたディスプレイが２番目に大きい照度値を出力する。また、位置（１，１）に配置されたディスプレイが点灯すると、位置（２，１）に配置されたディスプレイが２番目に大きい照度値を出力する。
【００３７】
各ディスプレイが２番目に大きい照度値を検出する回数は、以下の通りである。
０回：位置（ｉ，ｎ）、（１≦ｉ≦ｍ）に配置されたディスプレイ
1回：位置（ｉ，ｊ）、（１≦ｉ≦ｍ，２≦ｊ≦ｎ−１）、及び位置（ｍ，１）に配置されたディスプレイ
２回：位置（ｉ，１）、（ｉ＝１又は３≦ｉ≦ｍ−１）に配置されたディスプレイ
３回：位置（２，１）に配置されたディスプレイ
すなわち、照度センサがベゼルの短辺右側周縁の下部に配置されている場合、位置（２，１）が基本位置となる。
【００３８】
［２．照度センサがベゼルの短辺右側周縁の上部にある場合］
照度センサがベゼルの短辺右側周縁の上部にある場合は、位置（ｉ，ｊ）（２≦ｉ≦ｍ，１≦ｊ≦ｎ）に配置されたディスプレイが点灯すると、位置（ｉ−１，ｊ）に配置されたディスプレイが２番目に大きい照度値を出力する。
また、位置（ｉ，１）（１≦ｉ≦ｍ−１）に配置されたディスプレイが点灯すると、位置（ｉ＋１，１）に配置されたディスプレイが２番目に大きい照度値を出力する。また、位置（ｍ，１）に配置されたディスプレイが点灯すると、位置（ｍ−１，１）に配置されたディスプレイが２番目に大きい照度値を出力する。
【００３９】
各ディスプレイが２番目に大きい照度値を検出する回数は、以下の通りである。
０回：位置（ｉ，ｎ）（１≦ｉ≦ｍ）に配置されたディスプレイ
1回：位置（ｉ，ｊ）（１≦ｉ≦ｍ，２≦ｊ≦ｎ−１）、及び位置（１，１）に配置されたディスプレイ
２回：位置（ｉ，１）（２≦ｉ≦ｍ−２又はｉ＝ｍ）に配置されたディスプレイ
３回：位置（ｍ−１，１）に位置するディスプレイ
すなわち、照度センサがベゼルの短辺右側周縁の上部に配置されている場合、位置（ｍ−１，１）が基本位置となる。
【００４０】
［３．照度センサがベゼルの短辺左側周縁の下部にある場合］
照度センサがベゼルの短辺右側周縁の上部にある場合は、位置（ｉ，ｊ）（１≦ｉ≦ｍ，１≦ｊ≦ｎ−１）に配置されたディスプレイが点灯すると、位置（ｉ，ｊ＋１）に配置されたディスプレイが２番目に大きい照度値を出力する。
また、位置（ｉ，ｎ）（２≦ｉ≦ｍ）に配置されたディスプレイが点灯すると、位置（ｉ−１，ｎ）に配置されたディスプレイが２番目に大きい照度値を出力する。また、（１，ｎ）に配置されたディスプレイが点灯すると、位置（２，ｎ）に配置されたディスプレイが２番目に大きい照度値を出力する。
【００４１】
各ディスプレイが２番目に大きい初度値を検出する回数は、以下の通りである。
０回：位置（ｉ，１）、（１≦ｉ≦ｍ）に配置されたディスプレイ
１回：位置（ｉ，ｊ）、（１≦ｉ≦ｍ，２≦ｊ≦ｎ−１）、及び位置（ｍ，ｎ）に配置されたディスプレイ
２回：位置（ｉ，ｎ）、（ｉ＝１又は３≦ｉ≦ｍ−１）に配置されたディスプレイ
３回：位置（２，ｎ）に配置されたディスプレイ。
すなわち、照度センサがベゼルの短辺左側周縁の下部に配置されている場合、位置（２，ｎ）が基本位置となる。
【００４２】
［４．照度センサがベゼルの短辺左側周縁の上部にある場合］
照度センサがベゼルの短辺左側周縁の上部にある場合、位置（ｉ，ｊ）（１≦ｉ≦ｍ，１≦ｊ≦ｎ−１）に配置されたディスプレイが点灯すると、位置（ｉ，ｊ＋１）に配置されたディスプレイが２番目に大きい照度値を出力する。
また、位置（ｉ，ｎ）（１≦ｉ≦ｍ−１）に配置されたディスプレイが点灯すると、位置（ｉ＋１，ｎ）に配置されたディスプレイが２番目に大きい照度値を出力する。また、位置（ｍ，ｎ）に配置されたディスプレイが点灯すると、位置（ｍ−１，ｎ）に配置されたディスプレイが２番目に大きい照度値を出力する。
【００４３】
各ディスプレイが２番目に大きい照度値を検出する回数は、以下の通りである。
０回：位置（ｉ，１）（１≦ｉ≦ｍ）に配置されたディスプレイ
1回：位置（ｉ，ｊ）（１≦ｉ≦ｍ，２≦ｊ≦ｎ−１）、及び位置（１，ｎ）に配置されたディスプレイ
２回：位置（ｉ，ｎ）（２≦ｉ≦ｍ−２又はｉ＝ｍ）に配置されたディスプレイ
３回：位置（ｍ−１，ｎ）に位置するディスプレイ
すなわち、照度センサがベゼルの短辺右側周縁の上部に配置されている場合、位置（ｍ−１，１）が基本位置となる。
【００４４】
以上のように、マルチディスプレイのサイズに関わらず、マルチディスプレイのサイズ（行及び列）と、ディスプレイが有する照度センサの配置される位置とに応じて基本位置（２番目に高い照度値を検出するディスプレイが配置された位置）が一意に定まる。これにより、本発明のディスプレイ制御装置１により、マルチディスプレイのサイズに関わらず、マルチディスプレイを構成するディスプレイそれぞれの配置された位置を検出することができる。また、本発明のディスプレイ制御装置が接続されたディスプレイの配置位置を検出できる最小のマルチディスプレイのサイズは、２行３列（２×３）のサイズである。すなわち、ｍ≧２かつｎ≧３の場合であれば、本発明のディスプレイ制御装置１は、マトリックス状に配置されたディスプレイより構成されるマルチディスプレイにおいて、基本位置検出部１２が、基本位置に配置されたディスプレイを検出することができる。そして、相対位置検出部１３が、基本位置検出部１２により検出されたディスプレイを点灯させることにより、他のディスプレイの配置された位置を検出する。これにより、ディスプレイ制御装置１は、サイズ及び照度センサの配置位置に関わらず、ディスプレイの配置位置を検出できる汎用性の高いものとなっている。
【００４５】
なお、相対位置検出部１３は、接続順にディスプレイ２ａ〜２ｉに割り当てられたＩＤを、ディスプレイ２ａ〜２ｉそれぞれが配置された位置に応じて、ディスプレイ２ａ〜２ｉの制御を行い易いようにＩＤを割り当てなおしてもよい。例えば、位置（１，１）に配置されたディスプレイを基点として、ディスプレイ２ａ〜２ｃに「１」、「２」、「３」を割り当て、ディスプレイ２ｄ〜２ｆに「６」、「５」、「４」を割り当て、ディスプレイ２ｇ〜２ｉに「７」、「８」、「９」を割り当てなおす。
このように、ディスプレイ制御装置１が、各ディスプレイの配置位置に応じて規則的にＩＤを割り当てなおすことで、ディスプレイがディスプレイ制御装置１に配置位置とは無関係なランダムな順序で接続された場合でも、利用者などに対してＩＤによるディスプレイの配置位置の認識を容易させることができる。
【００４６】
なお、本実施形態において、照度分布記憶部１５は、マルチディスプレイのサイズが３行３列（３×３）であり、照度センサ２１ａ〜２１ｉがベゼルの短辺右側周縁の下部に配置された場合の照度分布情報のみを予め記憶している構成を用いて説明したが、これに限らず、マルチディスプレイの複数のサイズ、並びに、照度センサの配置位置としてベゼルの短辺左側周縁の下部、短辺左側周縁の上部、短辺右側周縁の下部、及び短辺右側周縁の上部の組合せそれぞれの照度分布情報を予め記憶するようにしてもよい。そして、マルチディスプレイの利用者や管理者の操作により入力される情報に基づいて、いずれか１つの組合せを選択して、接続されたディスプレイの配置位置を検出する。これにより、照度センサの配置位置、及びマルチディスプレイのサイズにかかわらず、接続されたディスプレイの配置位置を検出することができる。
【００４７】
また、照度分布記憶部１５は、基本位置以外に配置されたディスプレイを点灯させた場合の各照度センサにより検出される照度値の大きい順に位置が並べられた照度分布情報を記憶するようにしてもよい。これにより、相対位置検出部１３は、基本位置に配置されたディスプレイを点灯させて他のディスプレイの位置を検出した後に、基本位置以外に配置されたディスプレイを点灯させて、各ディスプレイの位置を検証することができる。これにより、照度センサの照度値の検出誤差などが生じた場合に、ディスプレイの配置位置の誤検出を防ぐことができる。
【産業上の利用可能性】
【００４８】
この発明は、複数のディスプレイを組み合わせた大型の画面を用いたデジタルサイネージに用いることができる。
【符号の説明】
【００４９】
１  ディスプレイ制御装置
２、２ａ、２ｂ、２ｃ、２ｄ、２ｅ、２ｆ、２ｇ、２ｈ、２ｉ  ディスプレイ
３ａ、３ｂ、３ｃ、３ｄ、３ｅ、３ｆ、３ｇ、３ｈ、３ｉ  シリアルケーブル
２１ａ、２１ｂ、２１ｃ、２１ｄ、２１ｅ、２１ｆ、２１ｇ、２１ｈ、２１ｉ  照度センサ
１１  制御部
１２  基本位置検出部
１３  相対位置検出部
１４  位置情報記憶部
１５  照度分布記憶部
２０  マルチディスプレイ
１００  マルチディスプレイシステム
【図１】
0005424366.tif 000002
【図２】
0005424366.tif 000003
【図３】
0005424366.tif 000004
【図４】
0005424366.tif 000005
【図５】
0005424366.tif 000006
【図６】
0005424366.tif 000007
【図７】
0005424366.tif 000008
【図８】
0005424366.tif 000009
【図９】
0005424366.tif 000010
【図１０】
0005424366.tif 000011
【図１１】
0005424366.tif 000012
【図１２】
0005424366.tif 000013
【図１３】
0005424366.tif 000014
【図１４】
0005424366.tif 000015